(57)【特許請求の範囲】
【請求項１】
パイロットトーンが搬送波周波数の中心付近にあるテレビジョン信号の搬送波捕捉を実行するためのプロセスであって、
第１の制御信号を、第１の基準電力値を用いて生成するステップと、
ここで、前記第１の基準電力値は、搬送波捕捉中において前記第１の制御信号を生成するために使用され、
前記第１の制御信号に応答して、第１の増幅レベルを使用して前記テレビジョン信号を増幅する工程と、
前記増幅されたテレビジョン信号から搬送波周波数を捕捉する工程と、
前記搬送波周波数の捕捉に応答して、第２の制御信号を、第２の基準電力値を用いて生成するステップと、
ここで、前記第２の基準電力値は、復調処理中において前記第２の制御信号を生成するために使用され、
前記第２の制御信号に応答して、前記第１の増幅レベルが第２の増幅レベルよりも大きい場合、該第２の増幅レベルを使用して前記テレビジョン信号を増幅する工程と
を具えたことを特徴とする方法。
【請求項２】
前記第１の増幅レベルを使用して増幅する工程は、
前記第１の基準電力値を高い値に設定する工程と、
該第１の基準電力値が前記テレビジョン信号の電力値よりも大きい場合に前記第１の制御信号の値を増加させる工程と
を含み、該第１の増幅レベルを使用して増幅する工程は、前記第１の制御信号が増加された値に応答して行われることを特徴とする請求項１記載の方法。
【請求項３】
前記設定する工程は、入力コマンドに応答して行われることを特徴とする請求項２記載の方法。
【請求項４】
前記捕捉する工程は、
前記テレビジョン信号から前記パイロットトーンを検出する工程を含むことを特徴とする請求項１記載の方法。
【請求項５】
前記第２の増幅レベルを使用して増幅する工程は、
前記第２の基準電力値を前記第１の基準電力値に比べて低い値に設定する工程であって、該設定が搬送波周波数を捕捉した後に応答して実行される工程と、
前記第２の基準電力値が前記テレビジョン信号の電力値よりも低い場合に前記第２の制御信号の値を低減する工程と
を含み、該第２の増幅レベルを使用して増幅する工程は、前記第２の制御信号の低減された値に応答して行われることを特徴とする請求項１記載の方法。
【請求項６】
前記増幅する工程は、中間周波数（ＩＦ）モジュールの利得を増加させる工程を含むことを特徴とする請求項１記載の方法。
【請求項７】
前記捕捉する工程の後の前記増幅する工程は、
中間周波数（ＩＦ）モジュールの利得を低減する工程を含むことを特徴とする請求項１記載の方法。
【請求項８】
前記搬送波周波数を捕捉したとき、搬送波ロック信号を生成する工程をさらに具え、
前記第２の増幅レベルを使用して前記増幅する工程は、前記搬送波ロック信号に応答して行われることを特徴とする請求項１記載の方法。
【請求項９】
前記テレビジョン信号は、高精細度ビデオデータを含む受信残留側帯波（ＶＳＢ）変調信号を含むことを特徴とする請求項１記載の方法。
【請求項１０】
パイロットトーンが搬送波周波数の中心付近にあるテレビジョン信号の搬送波捕捉を実施するための装置であって、
第１の増幅レベルを使用して前記テレビジョン信号を増幅し、かつ、第２の増幅レベルを使用して前記テレビジョン信号を増幅する回路であって、前記第１の増幅レベルが前記第２の増幅レベルよりも高いチューナ回路と、
前記増幅されたテレビジョン信号から搬送波周波数を捕捉するための搬送波回復回路と、
前記チューナおよび前記搬送波回復回路に接続され、第１の制御信号および第２の制御信号を、それぞれ所定の基準電力値を使用して生成する制御回路と、
ここで、前記基準電力値は、搬送波捕捉中において前記第１の制御信号を生成するために使用される第１の基準電力値と、復調処理中において前記第２の制御信号を生成するために使用される第２の基準電力値とを含み、
を具えたことを特徴とする装置。
【請求項１１】
前記制御回路は、自動利得制御（ＡＧＣ）コントローラを具えたことを特徴とする請求項１０記載の装置。
【請求項１２】
前記ＡＧＣコントローラは、
前記第１の基準電力値を高い値に設定するためのプロセッサと、
前記プロセッサに接続され、前記第１の基準電力値が前記テレビジョン信号の電力値よりも大きい場合に前記第１の制御信号の値を増加するための検出器と
を具え、
ここで、前記チューナ回路は、前記第１の制御信号の増加された値に応答して、前記第１の増幅レベルを使用して前記テレビジョン信号を増幅することを特徴とする請求項１０記載の装置。
【請求項１３】
前記プロセッサは、前記搬送波周波数の回復後に前記第２の基準電力値を前記第１の基準電力値に比べて低い値に設定し、
前記検出器は、前記第２の基準電力値が前記テレビジョン信号の前記電力値よりも小さい場合に前記第２の制御信号の値を低減し、
ここで、前記チューナ回路は、前記第２の制御信号の低下した値に応答して前記第２の増幅レベルを使用して前記テレビジョン信号を増幅することを特徴とする請求項１２記載の装置。
【請求項１４】
前記チューナ回路は、中間周波数（ＩＦ）モジュールを具えたことを特徴とする請求項１０記載の装置。
【請求項１５】
前記チューナ回路の利得は、前記制御信号の増加された値を受信したとき、増加されることを特徴とする請求項１０記載の装置。
【請求項１６】
前記チューナ回路の利得は、前記制御信号の低減された値を受信したとき、低減されることを特徴とする請求項１０記載の装置。
【請求項１７】
前記テレビジョン信号は、高精細度ビデオデータを含む受信残留側帯波（ＶＳＢ）変調信号からなることを特徴とする請求項１０記載の装置。
【発明の詳細な説明】
【０００１】
（発明の分野）
本発明は、例えば残留側帯波（米国のグランドアライアンス（Ｇｒａｎｄ  Ａｌｌｉａｎｃｅ）によって提案されたＶＳＢ変調タイプ）の高精細度テレビジョン信号を処理するための受信機システムに関する。
【０００２】
（発明の背景）
シンボル形式のデジタル情報を搬送する変調された信号からデータを回復するには、通常、受信機における３つの機能、すなわち、シンボル同期のためのタイミング回復、搬送波回復（ベースバンドへの周波数復調）、およびチャネル等化が必要になる。タイミング回復は、受信機クロック（タイムベース）を送信機クロックに同期させるプロセスである。これにより、受信信号を最適な時点でサンプリングして、受信したシンボル値の意志決定型（ｄｅｃｉｓｉｏｎ−ｄｉｒｅｃｔｅｄ）スライシングエラーを低減させることができる。搬送波回復は、処理に伴う受信した無線周波数（ＲＦ）信号を、より低い中間周波数通過帯域（例えば、ベースバンド付近）に周波数ダウンコンバージョンした後で、変調するベースバンド情報の回復を可能にするようにベースバンドに周波数シフトするプロセスである。適応チャネル等化は、信号伝送チャネル内の変化する状況と外乱の影響を補正するプロセスである。このプロセスは、通常、シンボル決定機能を改善するために、伝送チャネルの周波数依存性の時変特性から生じる振幅と位相ひずみを除去するフィルタを使用する。
【０００３】
（発明の概要）
マルチパス干渉は、受信した信号スペクトルの狭帯域内において重大な減衰をもたらす場合がある。アドバンストテレビジョンシステム委員会（ＡＴＳＣ）高精細度テレビジョン（ＨＤＴＶ）放送信号のパイロットトーンを含有する周波数帯域内でこの減衰が発生した場合、受信機の位相ロックループを受信したパイロットトーンに同期させるために入力信号を増幅することが望ましいことがすでに判明している。一旦この初期捕捉が確立されると、受信した信号に加えられた増幅を、復調チェーンにおける残りのブロックに適切なレベルにまでパイロットトーン同期を狂わせずに低減することができる。したがって本発明によれば、受信したＡＴＳＣ残留側帯波（ＶＳＢ）信号に加えられる利得は、パイロットトーン捕捉中は、復調のそれ以外のステージ中よりも高くセットされる。
【０００４】
本発明の教示は、以下の詳細な説明を添付の図面と併せて考慮すれば容易に理解することができよう。
【０００５】
理解を容易にするために、図面に共通する同一要素を示すのに可能な場合は、同一の参照番号を使用した。
【０００６】
（詳細な説明）
図１では、地上波放送、アナログ入力、高精細度テレビジョン（ＨＤＴＶ）信号は、無線周波数（ＲＦ）チューニング回路を含む入力ネットワーク１４と、ＩＦ通過帯域出力信号を生成するための二重変換チューナを含む中間周波数（ＩＦ）モジュール１６と適切な自動利得制御（ＡＧＣ）回路とによって処理される。受信した信号は、グランドアライアンスによって提案され、米国での使用に適用される搬送波抑圧８−ＶＳＢ変調信号である。このようなＶＳＢ信号は、１つの軸だけが受信機によって回復されるべき量子化されたデータを含んでいる一次元データシンボル配置によって表される。図１を簡約化するために、例示される機能ブロックをクロッキングするための信号は示さない。
【０００７】
１９９４年４月１４日付けのグランドアライアンスＨＤＴＶシステム規格で説明されているように、ＶＳＢ伝送システムは規定されたデータフレーム形式でデータを搬送する。抑圧された搬送波周波数の小さなパイロット信号が送信された信号に付加され、ＶＳＢ受信機で搬送波ロックを達成するのに役立てる。各データフレームは２つのフィールドを含み、各フィールドは８３２の多重レベルシンボルの３１３セグメントを含む。各フィールドの第１のセグメントはフィールド同期セグメントと呼ばれ、それ以外の３１２セグメントはデータセグメントと呼ばれる。データセグメントは、通常、ＭＰＥＧ（ＭＰＥＧ：Ｍｏｖｉｎｇ  Ｐｉｃｔｕｒｅ  Ｅｘｐｅｒｔ  Ｇｒｏｕｐ）に適合したデータパケットを含んでいる。各データセグメントは、４つのシンボルセグメント同期文字と、それに続く８２８のデータシンボルとを含む。各フィールドセグメントには、４つのシンボルセグメント同期文字、それに続く、所定の５１１シンボル疑似乱数（ＰＮ）列と、中間の１つが連続フィールドに変換される３つの所定の６３のシンボルＰＮ列とを含む１つのフィールド同期成分が含まれる。ＶＳＢモード制御信号（ＶＳＢシンボル配置サイズを定義する）は、最後の６３ＰＮ列の後に続き、その後に９６の予約シンボルと、前フィールドからコピーされた１２のシンボルとが続く。
【０００８】
続けて図１を参照すると、ＩＦモジュール１６からの通過帯域ＩＦ出力信号は、Ａ／Ｄ変換器８（ＡＤＣ）１９によってオーバーサンプリングされたデジタルシンボルデータストリームに変換される。ＡＤＣ１９から出力されたオーバーサンプリングされたデジタルデータストリームは、すべてのデジタル復調器／搬送波回復ネットワーク２２によってベースバンドに復調される。これは、受信したＶＳＢデータストリーム中の小さな基準パイロット搬送波に応答して、すべてのデジタル位相ロックループによって行われる。ユニット２２は、図３に関してより詳細に説明するように、出力されるＩ相復調シンボルデータストリームを生成する。また、ユニット２２は、ＡＧＣコントローラ５２に結合されており、本発明に従ってＩＦおよびＲＦ  ＡＧＣ信号を生成する。ＡＧＣ信号を生成するための装置およびプロセスを、図９および図１０に関して以下で説明する。
【０００９】
ＡＤＣ  １９は入力１０．７６Ｍシンボル／秒ＶＳＢシンボルデータストリームを、２１．５２ＭＨｚサンプリングクロックで、すなわち受信したシンボルレートの２倍でオーバーサンプリングする。それによって、オーバーサンプリングした２１．５２Ｍシンボル／秒データストリームに１つのシンボル当たり２つのサンプルを供給する。シンボル毎の（１つのシンボル当たり１つのサンプルの）シンボルベースの処理ではなく、１つのシンボル当たり２つのサンプルというようなサンプルベースの処理を使用することによって、例えば関連付けられたＤＣ補正ユニット２６および全米テレビジョン標準委員会（ＮＴＳＣ）の干渉検出器３０などの、連続信号処理機能の有利な動作が提供される。
【００１０】
ＡＤＣ  １９および復調器２２には、セグメント同期およびシンボルクロック回復ネットワーク２４が関連付けられている。ネットワーク２４は、ランダムデータから、各データフレームの反復するデータセグメント同期成分を検出し分離する。セグメント同期は、Ａ／Ｄ変換器１９によってデータストリームシンボルサンプリングを制御するために使用される、適切な位相２１．５２ＭＨｚクロックを再生成するために使用される。ネットワーク２４は、短縮された２つのシンボル相関関係パターンと、関連付けられた２つのシンボルデータ相関器とを有利に使用してセグメント同期を検出する。
【００１１】
ＤＣ補正ユニット２６は、復調されたＶＳＢ信号からパイロット信号成分によるＤＣオフセット成分を除去するために適応追跡回路を使用する。フィールド同期検出器２８は、あらゆる受信したデータセグメントと、受信機のメモリに記憶されている理想的なフィールド基準信号とを比較することによって、データフィールド同期成分を検出する。フィールド同期に加え、フィールド同期信号は、チャネルイコライザ３４にトレーニング信号を提供する。
【００１２】
ＮＴＳＣ干渉検出および拒絶がユニット３０によって実施される。その後、その信号は、チャネルイコライザ３４によって適応するように等化される。このチャネルイコライザ３４は、ブラインドモード、トレーニングモード、および決定に従うモードの組合せで動作することができる。イコライザ３４は、グランドアライアンスＨＤＴＶシステム規格に記載されており、また、Ｗ．Ｂｒｅｔｌ他著の記事、「ＶＳＢ  Ｍｏｄｅｍ  Ｓｕｂｓｙｓｔｅｍ  Ｄｅｓｉｇｎ  ｆｏｒ  Ｇｒａｎｄ  Ａｌｌｉａｎｃｅ  Ｄｉｇｉｔａｌ  Ｔｅｌｅｖｉｓｉｏｎ  Ｒｅｃｅｉｖｅｒｓ」、ＩＥＥＥ  Ｔｒａｎｓａｃｔｉｏｎｓ  ｏｎ  Ｃｏｎｓｕｍｅｒ  Ｅｌｅｃｔｒｏｎｉｃｓ、１９９５年８月に記載されているタイプであってよい。イコライザ３４は、米国特許出願第０９／１０２，８８５号（ＲＣＡ  ８８，９４７）に記載のタイプであってもよい。検出器３０からの出力データストリームは、イコライザ３４の前に１つのサンプル／シンボル（１０．７６Ｍシンボル／秒）データストリームにダウンコンバートされる。このダウンコンバージョンは、適切なダウンサンプリングネットワーク（簡約化のため図１には示さない）によって達成することができる。
【００１３】
イコライザ３４はチャネルひずみを補正するが、位相ノイズはランダムにシンボル配置を回転させる。位相追跡ネットワーク３６は、イコライザ３４から出力信号中の残留位相と利得ノイズとを、上記搬送波回復ネットワークによって回復されていない位相ノイズを含めて、パイロット信号に応答して除去する。位相補正信号は、次いでトレリスデコーダ４０によってトレリス復号され、デインターリーバ４２によってデインターリーブされ、リードソロモンデコーダ４４によってリードソロモン誤りが訂正され、デスクランブラ４６によって逆スクランブル（ランダム解除）される。その後、復号されたデータストリームは、ユニット５０によるオーディオ、ビデオおよびディスプレイ処理を受ける。
【００１４】
チューナ１４、ＩＦモジュール１６、フィールド同期検出器２８、イコライザ３４、位相追跡ループ３６、トレリスデコーダ４０、デインターリーバ４２、リードソロモンデコーダ４４、およびデスクランブラ４６は、１９９４年４月４日のグランドアライアンスＨＤＴＶシステム規格、および上記のＢｒｅｔｌ他著の記事に記載されているタイプの回路を使用することができる。ユニット１９および５０の機能を実施するのに適した回路はよく知られている。
【００１５】
ユニット２２における復調は、搬送波回復を達成するためにすべてのデジタル自動位相制御（ＡＰＣ）ループによって実施される。この位相ロックループは、初期捕捉用の基準としてパイロット成分を、また、位相捕捉のために標準的な位相検出器を使用する。パイロット信号は受信したデータストリームに埋め込まれており、このデータストリームには、ランダムでノイズに似たパターンを示すデータが含まれている。ランダムデータは、復調器ＡＰＣループのフィルタリングアクションからは本質的に無視される。ＡＤＣ  １９への１０．７６Ｍシンボル／秒入力信号は、ＶＳＢ周波数スペクトルの中心を５．３８ＭＨｚとし、パイロット成分を２．６９ＭＨｚに置く近くのベースバンド信号である。入力データストリームは、ＡＤＣ  １９によって２１．５２ＭＨｚで有利に２倍にオーバーサンプリングされる。ユニット２２からの復調されたデータストリームでは、パイロット成分は周波数シフトしてＤＣまで落とされる。
【００１６】
図３にデジタル復調器２２の詳細を示す。非常に低い周波数パイロット成分を含有する、８−ＶＳＢ復調され、オーバーサンプリングされたＡＤＣ１９からのデジタルシンボルデータストリームが、ヒルベルトフィルタ３２０と遅延ユニット３２２の入力に適用される。ヒルベルトフィルタ３２０は、サンプリングされた着信ＩＦデータストリームを「Ｉ」（同相）成分と「Ｑ」（直角位相）成分とに分離する。遅延３２２は、ヒルベルトフィルタ３２０の遅延と一致する遅延を示す。Ｉ成分とＱ成分は、ＡＰＣループ内の複素乗算器３２４を使用してベースバンドに回転される。一旦ループが同期されると、乗算器３２４の出力は複素ベースバンド信号である。乗算器３２４からの出力Ｉデータストリームは実際の復調器出力として使用されており、また、低域フィルタ３２６を使用して受信したデータストリームのパイロット成分を抽出するためにも使用される。乗算器３２４からの出力Ｑデータストリームは、受信した信号の位相を抽出するために使用される。
【００１７】
位相制御ループにおいて、乗算器３２４からのＩ出力信号とＱ出力信号は、それぞれに低域フィルタ３２６と３２８に適用される。フィルタ３２６と３２８は約１ＭＨｚの遮断周波数を有するナイキスト低域フィルタであり、これらはユニット３３０と３３２による８：１のデータダウンサンプリング以前に信号帯域幅を低減するために設けられている。ダウンサンプリングされたＱ信号は、自動周波数制御（ＡＦＣ）フィルタ３３６によってフィルタリングされる。フィルタリング後、Ｑ信号は、位相検出器３４０のダイナミックレンジ要件を低減するためにユニット３３８によって限定される振幅である。位相検出器３４０は、その入力に適用されるＩとＱ信号の間の位相差を検出および訂正し、ＡＰＣフィルタ３４４、例えば第２番目の低域フィルタによってフィルタリングされる出力位相誤差信号を創り出す。ユニット３４０によって検出された位相誤差は、ＤＣに近い予想されるパイロット信号周波数と受信したパイロット信号周波数との間の周波数の差を表している。
【００１８】
受信したパイロット信号がＤＣに近い予想される周波数を示す場合、ＡＦＣユニット３３６は位相シフトを生成しない。位相検出器３４０に入力されたＩおよびＱチャネルパイロット成分は相互の直角位相関係からの逸脱を示さず、それによって位相検出器３４０はゼロまたはゼロに近い値の位相誤差出力信号を生成する。しかし、受信したパイロット信号が不正確な周波数を示す場合、ＡＦＣユニット３３６は位相シフトを生成する。これによって、位相検出器３４０の入力に加えられるＩとＱチャネルパイロット信号間にさらに位相差が生じることになる。位相検出器３４０はこの位相差に応答して出力誤差値を生成する。
【００１９】
フィルタ３４４からのフィルタリングされた位相誤差信号は、ユニット３３０と３３２によって事前にダウンサンプリングされていることを見込んでインターポレータ３４６によって１：８にアップサンプリングされ、したがって、数値制御オシレータ（ＮＣＯ）３４８は２１．５２ＭＨｚで動作する。インターポレータ３４６の出力はＮＣＯ  ３４８の制御入力に加えられ、これは、受信したデータストリームを復調するためのパイロット信号をローカルに再生成する。ＮＣＯ  ３４８は、ユニット３４０、３４４、３４６からの位相制御信号に応答して、正確な位相でパイロットトーンを再生成するための正弦と余弦ルックアップテーブルを含む。ＮＣＯ  ３４８の出力は、位相検出器３４０によって生成される位相誤差信号が乗算器３２４のＩ信号出力とＱ信号出力によって実質的にゼロにされるまで制御されており、このことは乗算器３２４の出力部には適切に復調されたベースバンドＩ信号があることを示している。
【００２０】
デジタル復調器２２において、主要な信号処理エンジンは基本的に素子３３６、３３８、３４０および３４４を含んでいる。ユニット３３０および３３２によって提供される８：１ダウンサンプリングは、復調器処理電力およびハードウェアを有利に節約し、ＡＰＣループ素子３３６、３３８、３４０をより低いクロックレートにクロック制御させることによって、すなわち２１．５２ＭＨｚクロックではなく２１．５２ＭＨｚ／８すなわち２．６９ＭＨｚクロックを使用することによって、処理の効率化を可能にする。特に、ネットワーク２２と位相検出器ループを実施するためにデジタル信号プロセッサ（ＤＳＰ）を使用するとき、前述のデータの低減は、例えば比例して行数の少ない命令コードしか必要としないことによってソフトウェアの効率化をもたらす。ＤＳＰマシンサイクルは、他の信号処理目的に利用可能である。特定用途向けＩＣ（ＡＳＩＣ）がネットワーク２２を実施するために使用されているとき、データの低減は、ハードウェアおよび電力要件、ならびにＩＣの表面積の低減をもたらす。復調器は、搬送波回復を達成するためにパイロット成分を使用し、スライサ決定データを使用するより複雑で時間の掛かるフィードバック処理ではなく、フィードフォワード処理を使用することが有利である。
【００２１】
ＡＴＳＣ信号にマルチパスがある場合、スペクトル中のパイロットトーンは、パイロットトーン以外の周波数よりも大きく減衰する可能性がある。ＶＳＢスペクトルをヘテロダインしてベースバンドに落とすために受信機でコヒーレントな基準を有する目的で、このパイロットにロックするよう位相ロックループ（ＰＬＬ）が使用される。通常、このＰＬＬは、捕捉することになる信号よりも低レベルの信号を追跡することができるようになる。マルチパスが原因で生じるパイロットトーン減衰があまりにひどくなると、ＶＳＢスペクトル全体に作用する自動利得制御回路は、捕捉されるべきパイロットトーン周波数でのエネルギーが十分でないような定常状態状況に達する可能性がある。本発明によれば、この問題の解決策は、搬送波捕捉中の自動利得制御（ＡＧＣ）回路用には、搬送波捕捉以外の復調処理中に使用するよりも高い基準電力を使用することである。この結果、捕捉ステージ中にＰＬＬ入力で使用可能なパイロットトーンのエネルギーが高められる。したがって、このプロセスは、より高いレベルの減衰下においてパイロットトーンを成功裏に捕捉することを可能にする。ＰＬＬがロックされた後、残りの復調ブロックの動作範囲に従って、受信した信号に適用されるＡＧＣ基準電力（増幅率）を下げることができる。
【００２２】
図２は、本発明に従って搬送波捕捉を実施するためのＨＤＴＶの詳細を示す。図４は、本発明を実施するためのフローチャートを示す。本発明に関して理解を得るために、図２および図４を参照されたい。
【００２３】
より具体的には、図２は、プロセッサ２０２と検出器２０４とを備えるＡＧＣコントローラ５２を示す。ＡＧＣコントローラ５２は、前述した図１に関するＲＦチューナ１４、ＩＦチューナ１６、ＡＤＣ１９および搬送波回復ネットワーク２２に結合されている。プロセッサ２０２は、入力デバイスから入力信号を受信し、検出器２０４に基準電力値をセットする。検出器２０４は、基準電力値と、ＡＤＣ  １９からのベースバンドのテレビジョン信号またはバースバンドに近いテレビジョン信号とを比較し、ＩＦモジュール１６によって受信される制御信号を生成する。
【００２４】
この制御信号に応答して、ＩＦモジュール１６内のＡＧＣ回路はＩＦモジュール１６の利得を調節する。制御信号は、ベースバンドテレビジョン信号の電力が基準電力値よりも低いときに利得を高めるように構成されている。制御信号は、ベースバンドテレビジョン信号の電力が基準電力値よりも高いときに、利得を下げるようにも構成されている。したがって、基準電力値が高められる場合は、入力テレビジョン信号は増幅される。反対に、基準電力値が下げられる場合は、入力テレビジョン信号は減衰される。以上、ＩＦモジュール１６の利得に関して議論したが、ＲＦチューナ１４の利得も制御信号に応答して調節することができる。
【００２５】
図４は、本発明を実施するためのプロセス４００を詳細に示すフローチャートである。プロセス４００はステップ４０２で開始され、そこで入力信号がプロセッサ２０２で受信される。入力信号は、ボタンまたはある種の入力デバイス（図示せず）を介して手動で供給しても、または、ある期間だけパイロットトーンの検出を実施するソフトウェアプログラムの実行時に自動的に供給してもよい。プロセス４００はステップ４０４に進み、そこでプロセッサ２０２は基準電力値を、高い基準電力値、例えばベースバンドテレビジョン信号の電力より高い値にセットする。高い基準電力値に応答して、検出器２０４はＩＦモジュール１６への制御信号の値を高める。高められた制御信号の値を受信すると、ＩＦモジュール１６の利得が高められ、それによってテレビジョン信号は第１の増幅レベルにまで増幅される。より重要には、利得が高まると、搬送波回復ネットワーク２６でのパイロットトーンエネルギーも高まり、したがって、搬送波捕捉またはパイロットトーンへの追加が達成される。
【００２６】
ステップ４０６で、プロセッサ２０２は、搬送波回復ネットワーク２６からの搬送波ロック信号を受信する。プロセス４００はステップ４０８に進み、そこでプロセッサ２０２は基準電力値を、より低い値または名目基準電力値に、例えば事前に電力の高められているテレビジョン信号よりも低い値にセットする。名目基準電力値は、他の復調、捕捉または、図１に関して説明した他のＨＤＴＶ機能を実施するのに適したベースバンドテレビジョン信号を提供するために適切にセットされ、あるいは経験的に決定される。
【００２７】
名目基準電力値に応答して、検出器２０４はＩＦモジュール１６への制御信号を低下させる。低下した制御信号を受信すると、ＩＦモジュール１６はテレビジョン信号を第２の増幅レベルまで増幅する。第２の増幅レベルは第１の増幅レベルよりも低いので、ＩＦモジュール１６の利得は低下する。ステップ４０８で、より低い基準電力値にセットした後、プロセス４００は、残りの捕捉およびステップ４１０でのＨＤＴＶ定常状態動作に進む。
【００２８】
一旦パイロットトーンが検出されると、データ信号は、１９９８年８月２６日出願の米国特許出願第０９／１４０，２５７号（ＲＣＡ  ８９，０９５）に記載の従来のプロセスで復調され処理される。
【００２９】
本明細書では、本発明の教示を組み込んだ様々な実施形態を詳細に図示し説明したが、当業者ならばこれらの教示を組み込む多くの他の様々な実施形態を容易に考案することができる。
【図面の簡単な説明】
【図１】  高精細度テレビジョン（ＨＤＴＶ）の部分ブロック図である。
【図２】  本発明による搬送波捕捉を実施するためのＨＤＴＶの細部を示す図である。
【図３】  図１のデジタル復調器／搬送波回復ネットワークの細部を示す図である。
【図４】  本発明を実施するための流れ図である。
【図１】
0004980528.tif 000002
【図２】
0004980528.tif 000003
【図３】
0004980528.tif 000004
【図４】
0004980528.tif 000005